(57)【要約】      （修正有）【課題】走行してくる車と接触しても破損しにくく、構造が簡単で道路への設置も容易な矢印板を提供する。【解決手段】矢印が表示された表示板１２と、表示板１２と端部同士が軸着された土台板１４と、表示板１２と土台板１４を開いて内側から支持する支持部１６を備える。支持部１６は、第一支持板４４と第二支持板４０とが連接され、互いに軸着されている。第一支持板４４は本体板４６と強磁性金属板で成り、第二支持板４０には所定位置に設置用磁石を備える。土台板１４を接地して表示板１２を開くと、強磁性金属板と設置用磁石とが吸着し、その吸着力によって表示板１２が開いた状態で保持され自立する。表示板１２と土台板１４を閉じると吸着部分が離間し、第一支持板２２と第二支持板４０が折り重なって表示板１２と土台板１４の間に収容される。【選択図】図１
0003163324.tif 000002
【実用新案登録請求の範囲】
【請求項１】
板状外形の外側面に交通誘導用の矢印が表示された表示板と、板状外形の外側面が地面に接地され、端部に前記表示板の端部が開閉自在に軸着された土台板と、板状外形の一対の端部が前記表示板の内側面と前記土台板の内側面にそれぞれ軸着され、前記表示板が前記土台板から所定の角度開いた状態で支持する支持部とを備え、
前記支持部は、第一支持板と第二支持板とが連接されて成り、前記第二支持板の当該連接側の端部が、前記第一支持板の端部に軸着され、
前記第一支持板の外側面の、前記表示板と前記土台板とが開かれた状態で前記第二支持板の内面側と対面又は近接する位置に、設置用強磁性部材と設置用磁石のうちの一方が設けられ、
前記第二支持板の内側面の、前記表示板と前記土台板とが開かれた状態で前記第一支持板の前記設置用強磁性部材と設置用磁石のうちの一方と、対面又は近接する位置に、前記設置用磁石と設置用強磁性部材のうちの他方が設けられ、
前記表示板と前記土台板とが開かれると、前記設置用強磁性部材と前記設置用磁石が互いに吸着し、その吸着力によって前記第一支持板と第二支持板との回動位置が保持され、前記表示板と前記土台板とが開いた状態で自立し、
前記表示板と前記土台板とを閉じると、上記の吸着部分が離間し、第一支持板と第二支持板とが折り重なって前記表示板と前記土台板との間に収容されることを特徴とする矢印板。
【請求項２】
前記第一支持板は本体板と強磁性金属板とで成り、前記本体板は、一方の端部が前記表示板の内側面又は前記土台板の内側面に軸着され、他方の端部が前記第二支持板に軸着され、前記強磁性金属板は、前記本体板の内側面に取り付けられ、前記本体板の前記第二支持板に軸着された側の端部から突出する部分で前記設置用強磁性部材を構成し、当該突出部分が前記第二支持板の前記設置用磁石に対面する請求項１記載の矢印板。
【請求項３】
前記表示板及び前記土台板には、閉じられた状態で対面する開閉端部分に、片手で一緒に握ることができる取っ手部が設けられた請求項１又は請求項２記載の矢印板。
【請求項４】
前記表示板の外側面に、交通誘導の矢印である板状の矢印体が近接配置され、前記表示板の内側面の前記矢印体と対向する位置に、回転部材が近接配置され、前記矢印体と前記回転部材は、前記表示板に形成された軸孔に挿通された回転軸を介して一体に連結され、前記回転軸を中心に回動可能に取り付けられ、前記回転部材には前記矢印体の指示方向を示す表示が設けられている請求項１又は２記載の矢印板。
【請求項５】
前記回転部材の前記表示板と対面する所定位置に、表示用強磁性部材と表示用磁石のうちの一方が設けられ、前記表示板は、前記回転軸を中心とする円周上の位置であって、前記回転部材の前記表示用強磁性部材と前記表示用磁石のうちの一方と対面する複数の位置に、前記表示用強磁性部材と表示用磁石のうちの一方と互いに吸引する前記表示用強磁性部材と表示用磁石のうちの他方が設けられ、前記矢印体の回転位置は、前記表示用強磁性部材と表示用磁石とが吸着することによって固定される請求項４記載の矢印板。
【請求項６】
前記矢印体の前記表示板と対面する所定位置に、表示用強磁性部材と表示用磁石のうちの一方が設けられ、前記矢印体は、前記回転軸を中心とする円周上の位置であって、前記回転部材の前記表示用強磁性部材と前記表示用磁石のうちの一方と対面する複数の位置に、前記表示用強磁性部材と表示用磁石のうちの一方と互いに吸引する前記表示用強磁性部材と表示用磁石のうちの他方が設けられ、前記矢印体の回転位置は、前記表示用強磁性部材と表示用磁石とが吸着することによって固定される請求項４記載の矢印板。
【請求項７】
前記土台板は、その外側面に重錘シートが取り付けられている請求項１又は２記載の矢印板。
【考案の詳細な説明】
【技術分野】
【０００１】
この考案は、道路での工事や事故処理などの際、走行してくる車に車線を指示する交通誘導用の標識として使用される矢印板に関する。
【背景技術】
【０００２】
従来、特許文献１に開示されているように、外側面に水平方向の矢印が描かれた表示板と、表示板の内側面の上端部２箇所に設けた開閉軸に開閉自在に軸着された第一の簡易開閉脚と、表示板の下端部２箇所に設けた開閉軸に開閉自在に軸着された第二の簡易開閉脚とを備えた矢印板がある。この矢印板は、いずれか一方の簡易開閉脚を表示板から開いて固定され、簡易開閉脚と表示板とが逆Ｖ字状の構造体として地面に置かれて自立する。また、第一、第二の簡易開閉脚を選択的に使用することによって、矢印の指示方向を左右反対にすることができるものである。
【先行技術文献】
【特許文献】
【０００３】
【特許文献１】実用新案登録第３１００４０９号公報
【考案の概要】
【考案が解決しようとする課題】
【０００４】
特許文献１の矢印板は逆Ｖ字状の構造で自立しているため、例えば、走行してくる車が接触する事故があると、その衝撃を受けて破損し使用不能になることが少なくなかった。また、この矢印板を設置するとき、矢印の指示方向は左右の２方向しか選択できず、例えば、斜めの向きに指示したいときは、別途、専用の矢印板を準備しなければならなかった。
【０００５】
この考案は、上記背景技術に鑑みてなされたもので、走行してくる車と接触しても破損しにくく、構造が簡単で道路への設置も容易な矢印板を提供することを目的とする。
【課題を解決するための手段】
【０００６】
この考案は、板状外形の外側面に交通誘導用の矢印が表示された表示板と、板状外形の外側面が地面に接地され、端部に前記表示板の端部が開閉自在に軸着された土台板と、板状外形の一対の端部が前記表示板の内側面と前記土台板の内側面にそれぞれ軸着され、前記表示板が前記土台板から所定の角度開いた状態で支持する支持部とを備え、前記支持部は、第一支持板と第二支持板とが連接されて成り、前記第二支持板の当該連接側の端部が、前記第一支持板の端部に軸着され、前記第一支持板の外側面の、前記表示板と前記土台板とが開かれた状態で前記第二支持板の内面側と対面又は近接する位置に、設置用強磁性部材と設置用磁石のうちの一方が設けられ、前記第二支持板の内側面の、前記表示板と前記土台板とが開かれた状態で前記第一支持板の前記設置用強磁性部材と設置用磁石のうちの一方と、対面又は近接する位置に、前記設置用磁石と設置用強磁性部材のうちの他方が設けられ、前記表示板と前記土台板とが開かれると、前記設置用強磁性部材と前記設置用磁石が互いに吸着し、その吸着力によって前記第一支持板と第二支持板との回動位置が保持され、前記表示板と前記土台板とが開いた状態で自立し、前記表示板と前記土台板とを閉じると、上記の吸着部分が離間し、第一支持板と第二支持板とが折り重なって前記表示板と前記土台板との間に収容される矢印板である。
【０００７】
前記第一支持板は本体板と強磁性金属板とで成り、前記本体板は、一方の端部が前記表示板の内側面又は前記土台板の内側面に軸着され、他方の端部が前記第二支持板に軸着され、前記強磁性金属板は、前記本体板の内側面に取り付けられ、前記本体板の前記第二支持板に軸着された側の端部から突出する部分で前記設置用強磁性部材を構成し、当該突出部分が前記第二支持板の前記設置用磁石に対面するものである。
【０００８】
さらに、前記表示板及び前記土台板には、閉じられた状態で対面する開閉端部分に、片手で一緒に握ることができる取っ手部が設けられているものである。
【０００９】
前記表示板の外側面に、交通誘導の矢印である板状の矢印体が近接配置され、前記表示板の内側面の前記矢印体と対向する位置に、回転部材が近接配置され、前記矢印体と前記回転部材は、前記表示板に形成された軸孔に挿通された回転軸を介して一体に連結され、前記回転軸を中心に回動可能に取り付けられ、前記回転部材には前記矢印体の指示方向を示す表示が設けられているものである。
【００１０】
さらに、前記回転部材の前記表示板と対面する所定位置に、表示用強磁性部材と表示用磁石のうちの一方が設けられ、前記表示板は、前記回転軸を中心とする円周上の位置であって、前記回転部材の前記表示用強磁性部材と前記表示用磁石のうちの一方と対面する複数の位置に、前記表示用強磁性部材と表示用磁石のうちの一方と互いに吸引する前記表示用強磁性部材と表示用磁石のうちの他方が設けられ、前記矢印体の回転位置は、前記表示用強磁性部材と表示用磁石とが吸着することによって固定されるものである。
【００１１】
又は、前記矢印体の前記表示板と対面する所定位置に、表示用強磁性部材と表示用磁石のうちの一方が設けられ、前記矢印体は、前記回転軸を中心とする円周上の位置であって、前記回転部材の前記表示用強磁性部材と前記表示用磁石のうちの一方と対面する複数の位置に、前記表示用強磁性部材と表示用磁石のうちの一方と互いに吸引する前記表示用強磁性部材と表示用磁石のうちの他方が設けられ、前記矢印体の回転位置は、前記表示用強磁性部材と表示用磁石とが吸着することによって固定されるものである。
【００１２】
また、前記土台板は、その外側面に重錘シートが取り付けられているものである。
【考案の効果】
【００１３】
この考案の矢印板は、道路に設置された状態で、走行してくる車が表示板に接触したとしても、第一支持板と第二支持板の状態を保持する磁石と強磁性部材との吸着部分が離間して衝撃が緩和されるので、矢印板が破損しにくい。
【００１４】
また、この矢印板は、単純な動作で簡単に設置及び回収をすることができるので、少ない人数でも短時間のうちに設置することができる。さらに、折り畳んだときの外形もコンパクトなため、運搬が容易で保管場所もとらない。さらに、表示板の矢印を回動可能な矢印体で構成することにより、矢印の指示方向を、設置場所の状況に合わせて自在に調整することができる。
【図面の簡単な説明】
【００１５】
【図１】この考案の一実施形態の矢印板を斜め後方から見た斜視図である。
【図２】この実施形態の矢印板を斜め前方から見た斜視図である。
【図３】この実施形態の矢印板の表示板を示す正面図（ａ）、回転部材を示す正面図（ｂ）である。
【図４】この実施形態の矢印板が開いている様子を側方から見た模式図（ａ）と、強磁性金属板の近傍の拡大図（ｂ）である。
【図５】この実施形態の矢印板が閉じられる途中の様子を側方から見た模式図である。
【図６】この実施形態の矢印板が閉じた様子を側方から見た模式図である。
【考案を実施するための形態】
【００１６】
以下、この考案の矢印板の一実施形態について、図面に基づいて説明する。この実施形態の矢印板１０は、組み立てられた状態に示す図１、図２のように、板状外形の外側面１２ａに交通誘導用の矢印が表示された表示板１２と、板状外形の外側面１４ａが地面に接地され、その端部に表示板１２の端部が取り付けられた土台板１４と、板状外形の一対の端部が表示板１２の内側面１２ｂと土台板１４の内側面１４ｂに取り付けられ、表示板１２が土台板１４から所定の角度開いた状態で支持する一対の支持部１６とを備えている。
【００１７】
表示板１２は、例えば長さと幅が約５０ｃｍ、厚みが数ｍｍ程度の矩形の板材で、アクリル変性高衝撃塩化ビニル樹脂などが使用される。外側面１２ａには、車の照射光を反射するプリズム高輝度反射シートが貼り付けられている。
【００１８】
表示板１２の中央部には、図３に示すように、軸孔２０が設けられ、後述する回転軸１８が挿通されて軸支する。上辺付近の中央部には、取っ手部である長穴状の取っ手孔２１が設けられている。表示板１２の内側面１２ｂには、略十字型外形の板材である回転部材２２が近接配置され、回転部材２２は、その中央部が表示板１２の回転軸１８の一端に固定され、回転軸１８と一体に回動することができる。一方、表示板１２の外側面１２ａには、図２に示すように、交通誘導用の矢印である板状の矢印体２４が近接配置され、その中央部が回転軸１８の他の一端に固定されている。従って、矢印体２４は、回転軸１８を介して対向する回転部材２２と一体に回動することができる。
【００１９】
回転部材２２には、図３に示すように、表示板１２と対面する十字状の突部４箇所に、鉄等で成る表示用強磁性部材２６が設けられている。一方、表示板１２には、回転軸１８を中心とする円周上を均等分割する位置であって、回転部材２２の表示用強磁性部材２６と対面する８箇所に、表示用強磁性部材２６と互いに吸引する表示用磁石２８が設けられている。従って、矢印体２４の回転方向の位置は、作業者が回転部材２２又は矢印体２４を手で回し、表示用強磁性部材２６と表示用磁石２８とが吸着して固定される４５度ごとの角度で固定することができる。
【００２０】
また、回転部材２２には、矢印体２４の指示方向を示す矢印形の表示３０が付されている。これにより、作業者が表示板１２の内側面１２ｂの回転部材２２を回すときに、外側面１２ａの矢印体２４を見なくても、矢印体２４の指示方向を認識することができる。
【００２１】
土台板１４は、図１、図２に示すように、表示板１２と同材質でほぼ同一外形の基板３２と、基板３２の外側面に貼り合わせたゴム製の重錘シート３４とで構成されている。基板３２の端部には、表示板１２の端部がヒンジ３６を介して開閉自在に軸着され、基板３２の内側面が表示板１２の内側面１２ｂと対面する土台板１４の内側面１４ｂとなる。また、基板３２は、開閉する幅方向の各側辺に矩形の切り欠き３８が一対に設けられている。この切り欠き３８は、後述する支持部１６の第二支持板４０とほぼ同一形状に切り欠かれている。
【００２２】
重錘シート３４は、強風等を受けても飛ばされないように適当な重量を確保すべく設けられており、重錘シート３４の外側面が、地面に接地して置かれる土台板１４の外側面１４ａとなる。ここでは、地面との間で摩擦力が生じやすいようにゴム製の薄いシート材が使用され、特に、耐候性に優れたクロロプレンゴム等が好適である。また、土台板１４の上辺付近の中央部であって、土台板１４と表示板１２とを閉じたとき表示板１２の取っ手孔２１と対面する位置に、同一形状の取っ手部である取っ手孔４２が設けられ、取っ手孔２１，４２を片手で一緒に握ることができるようになっている。
【００２３】
支持部１６は、図４に示すように、板状外形の第一支持板４４と第二支持板４０とが連接されて成る。さらに、第一支持板４４は、本体板４６と強磁性金属板４８とで構成されている。本体板４６は、一方の端部が表示板１２の内側面１２ｂの中央部分にヒンジ５０を介して軸着され、他方の端部が第二支持板４０の端部にヒンジ５２を介して軸着されている。強磁性金属板４８は、本体板４６の内側面４６ｂに、ヒンジ５２側の端部から突出するように取り付けられ、その突出部分が設置用強磁性部材として設けられている。
【００２４】
第二支持板４０は、ヒンジ５２と反対側の端部が、土台板１４の切り欠き３８の一辺（土台板１４の開閉端側の一辺）にヒンジ５４を介して軸着されている。また、第二支持板４０の内側面４０ｂには、表示板１２と土台板１４とが開かれた状態で第一支持板４４の強磁性金属板４８と対面する位置に、設置用磁石５６が設けられている。設置用磁石５６は、比較的軽量で機械的強度が高いネオジウム磁石が好適である。
【００２５】
次に、矢印板１０の取り扱い方法について説明する。図４のように設置されている矢印板１０を折り畳んで回収するとき、まず、表示板１２の取っ手孔２１部分に手を添えて土台板１４の側に押し下げ、ヒンジ３６を軸にして表示板１２を閉じていく。すると、図５に示すように、強磁性金属板４８と設置用磁石５６の吸着部分が離間し、真っ直ぐに連続していた第一支持板４４と第二支持部板がヒンジ５０，５２，５４を軸に回動して折り重なり、図６に示すように、表示板１２と土台板１４の間に支持部１６がコンパクトに収容される。特に、折り畳まれた第二支持板４０が基板３２に設けた切り欠き３８の中に収まるように設定し、また、重錘シート３４に薄手のシート材を選択することによって、全体の厚みが極力薄くなるように考慮されている。そして、閉じられた矢印板１０を、取っ手孔２１，４２を片手で一緒に握って持ち、運搬車両の荷台まで搬送する。
【００２６】
一方、矢印板１０を設置するときは、上記と反対の動作を行う。まず、矢印板１０を閉じた状態で設置場所まで搬送し、土台板１４の外側面１４ａを地面に置き、ヒンジ３６を軸にして表示板１２を開く。すると、折り重なっている第一支持板４４と第二支持板４０が、ヒンジ５０，５２，５４を軸に回動し開いていく。さらに表示板１２を開いていくと、強磁性金属板４８と設置用磁石５６が互いに吸着した位置で止まり、当該吸着力によって第一支持板４４と第二支持板４０とが真っ直ぐに連続する状態に保持され、表示板１２は、土台板１４に対して鋭角に開いた状態で自立する。その後、必要に応じて、表示板１２の外側面１２ａにある矢印体２４、又は内側面１２ｂにある回転部材２２を回し、矢印体２４の指示方向を調整する。
【００２７】
矢印板１０は上記のように構成されているので、表示板１２が土台板１４から開いた状態で道路に設置され、例えば走行してくる車が表示板１２に接触したとしても、強磁性金属板４８と設置用磁石５６との吸着部分が離間して衝撃が緩和されるので、矢印体１０が破損しにくい。また、矢印板１０は、上記のような動作で簡単に設置及び回収をすることができるので、少ない人数でも短時間のうちに設置することができる。しかも、折り畳んだときの外形もコンパクトなため、運搬が容易で保管場所もとらない。さらに、表示板１２の矢印が回動可能な矢印体２４で構成されているので、矢印の指示方向を、設置場所の状況に合わせて自在に調整することができる。
【００２８】
なお、この考案の矢印板は上記実施形態に限定されるものではない。例えば、連接された第一支持板と第二支持板は、第一支持板の方が土台板に軸着され、第二支持板の方が表示板に軸着される構成にしても、同様の作用効果を得ることができる。
【００２９】
また、第一支持板を、上記の本体板及び強磁性金属板が連続する長さを有した１枚の板材で構成してもよい。その場合、第一支持板と第二支持板とが対面して互いに磁力で吸着する部分の構成は、第一支持板に強磁性部材を設け、第二支持板に磁石を設ける構成にすればよい。反対に、第一支持板に磁石を設け、第二支持板に強磁性部材を設ける構成にしてもよい。
【００３０】
また、矢印体の回転方向の位置固定を行う構造について、回転部材と表示板とが対面して磁力で吸着する部分の構成は、回転部材に磁石を設け、表示板に複数の強磁性部材を設ける構成にしてもよい。また、回転部材に代えて、矢印体と表示板とが対面して磁力で吸着する構成とし、矢印体に強磁性部材又は磁石を設け、表示板に設けた磁石又は強磁性部材と吸着する構成にしてもよい。
【００３１】
また、表示板及び土台板の基板の重さが十分であれば、重錘シートを省略してもよい。その他、矢印の指示方向を調整する必要がない場合は、矢印体に代えて表面板に矢印を描き、回転部材、磁石及び強磁性部材等を省略してもよい。これにより、矢印板の構成が簡単化され、より安価に製作することができる。
【００３２】
また、取っ手部は、表示板及び土台板の開閉端部分に設けられ、表示板及び土台板が閉じているときに、片手で一緒に握ることができるものであれば、上記の一対の取っ手孔の構成に限らず、例えば、専用の取っ手金具等を取り付けた構成にしてもよい。
【符号の説明】
【００３３】
１０  矢印板
１２  表示板
１４  土台板
１６  支持部
１８  回転軸
２０  軸孔
２１  取っ手孔
２２  回転部材
２４  矢印体
２６  表示用強磁性部材
２８  表示用磁石
３０  表示
３２  基板
３６，５０，５２，５４  ヒンジ
３４  重錘シート
３８  切り欠き
４０  第二支持板
４２  取っ手孔
４４  第一支持板
４６  本体板
４８  強磁性金属板
５６  設置用磁石
【図１】
0003163324.tif 000003
【図２】
0003163324.tif 000004
【図３】
0003163324.tif 000005
【図４】
0003163324.tif 000006
【図５】
0003163324.tif 000007
【図６】
0003163324.tif 000008